(57)【要約】      （修正有）【課題】しおり、クリップ、装飾品としての機能を有する磁性挟持体を有する磁石構造を提供する。【解決手段】磁石構造１０は、結合ベース１、磁性体２及び磁性挟持体３から構成され、結合ベース１は、相対向する第１の結合板１１及び第２の結合板からなり、磁性体２を第１の結合板１１と第２の結合板との間に挟設する。さらに、磁性挟持体３は、第１の磁性板３１及び第２の磁性板３２からなり、それぞれその一端を磁性体２の側部に当接して配置すると共に、第１の結合板１１と第２の結合板との間に相対して配置して、それぞれ第１の結合板１１と第２の結合板に張り合わされる。書類の頁を第１の磁性板３１及び第２の磁性板の間に挟持してしおり機能を達成すると共に頂部に磁性体２を突出させて見出し効果を有する。【選択図】図２
0003180760.tif 000002
【実用新案登録請求の範囲】
【請求項１】
結合ベース、磁性体及び磁性挟持体を備え、
前記結合ベースは、互いに対向する第１の結合板及び第２の結合板を有し、
前記磁性体は、前記第１の結合板と前記第２の結合板との間に挟設され、
前記磁性挟持体は、第１の磁性板及び第２の磁性板を具え、該第１及び第２の磁性板は、前記第１の結合板と前記第２の結合板との間に配置されてそれぞれ前記磁性体の一方の側部に端部を当接すると共に、それぞれ相対する第１の結合板と前記第２の結合板に接合されて、両者間で相互に磁着する、ことを特徴とする磁性挟持体を有する磁石構造。
【請求項２】
前記磁性体は、硬質磁石であることを特徴とする請求項１に記載の磁性挟持体を有する磁石構造。
【請求項３】
前記磁性体は、２つの軟質磁石からなり、接着層によって接合されていることを特徴とする請求項１に記載の磁性挟持体を有する磁石構造。
【請求項４】
前記磁性体は、硬質磁石を収容する収容開口を具えた搭載ブロックからなり、該開口内に硬質磁石を収容してなることを特徴とする請求項１に記載の磁性挟持体を有する磁石構造。
【請求項５】
前記第１の磁性板及び前記第２の磁性板は、軟質磁石であることを特徴とする請求項１に記載の磁性挟持体を有する磁石構造。
【請求項６】
前記磁性体は、前記第１の磁性板及び第２の磁性板の一端の辺に対応する底辺を有し、
該第１及び第２の磁性板の一端を該底辺に当接して配置したことを特徴とする請求項１に記載の磁性挟持体を有する磁石構造。
【請求項７】
前記第１の磁性板及び前記第２の磁性板は、前記底辺に対して挟角を形成して展開可能としたことを特徴とする請求項６に記載の磁性挟持体を有する磁石構造。
【請求項８】
前記第１の結合板の前記第１の磁性板と反対側の表面を第１の表面として、図案層を形成したことを特徴とする請求項１に記載の磁性挟持体を有する磁石構造。
【請求項９】
前記第２の結合板の前記第２の磁性板と反対側の表面を第２の表面として、図案層を形成したことを特徴とする請求項１に記載の磁性挟持体を有する磁石構造。
【請求項１０】
磁石部材をさらに備え、前記第１の結合板の前記第１の磁性板と反対側の表面を第１の表面として、該磁石部材を磁着せしめたことを特徴とする請求項１に記載の磁性挟持体を有する磁石構造。
【請求項１１】
磁石部材をさらに備え、前記第２の結合板の前記第２の磁性板と反対側の表面を第２の表面として、該磁石部材を磁着せしめたことを特徴とする請求項１に記載の磁性挟持体を有する磁石構造。
【請求項１２】
前記磁石部材は、ベース層、図案層及び磁石層を具え、前記図案層及び前記磁石層は、前記ベース層の両表面に形成されることを特徴とする請求項１に記載の磁性挟持体を有する磁石構造。
【請求項１３】
前記磁性体の厚さは、前記第１の磁性板と前記第２の磁性板とを重ねた厚さと等しいことを特徴とする請求項１に記載の磁性挟持体を有する磁石構造。
【請求項１４】
前記第１の結合板及び前記第２の結合板は、一体成形されることを特徴とする請求項１に記載の磁性挟持体を有する磁石構造。
【請求項１５】
前記第１の結合板と前記第２の結合板とは、分離したことを特徴とする請求項１に記載の磁性挟持体を有する磁石構造。
【考案の詳細な説明】
【技術分野】
【０００１】
本考案は、しおり、クリップ、装飾品などの文具用品に関し、特に、磁性挟持体を有する磁石構造に関する。
【背景技術】
【０００２】
読書に費やされる時間は、人によって大きく異なる。読書中、読書を中断したり、重要なページに印をつけたりする場合、一般に、しおりが使用される。
【０００３】
従来の磁石を利用したしおりとしては、特許文献１のクリップが開示されている。特許文献１のクリップは、互いに貼り合わされた軟質ベース層及び軟質磁石板からなる。軟質ベース層及び軟質磁石板の中間には、折り曲げ部が設けられる。これにより、折り曲げ部の両側には、２つの挟持部が形成される。２つの挟持部は、開いたり、磁着させたりすることができるため、これを利用してクリップを書籍のページ上に挟持固定することができる。
【０００４】
しかし、特許文献１のクリップは、以下（１）及び（２）に示す欠点を有する。
（１）クリップを書籍のページ上に挟持固定した際、折り曲げ部がページの辺縁上に貼設されるため、クリップの挿設位置を探し出しにくい。
（２）クリップ及びしおりとしての機能しか有さないため、応用範囲が狭い。例を挙げると、２つの対向する挟持部を開いた状態にしても、暫くすると、磁着し合うため、クリップを立体形状にし、直立した状態を保持させることができない。このため、特許文献１のクリップは、装飾品として展示する機能を提供することができない。
【０００５】
本考案の考案者は、上述の従来技術の欠点に鑑み、研究を行い、上述の問題点を解決するために尽力した。
【先行技術文献】
【特許文献】
【０００６】
【特許文献１】台湾実用新案公告第Ｍ３３４７９３号
【特許文献２】特開平１１−７８２９３号公報
【考案の概要】
【考案が解決しようとする課題】
【０００７】
本考案の目的は、磁性挟持体の上方に磁性体が配置されることにより、磁石構造の使用機能が向上し、しおり、クリップ、装飾品などとしての機能を提供することができ、応用範囲の広い磁性挟持体を有する磁石構造を提供することにある。
【課題を解決するための手段】
【０００８】
上述の課題を解決するために、本考案は、磁性挟持体を有する磁石構造を提供するものである。本考案の磁性挟持体を有する磁石構造は、結合ベース、磁性体及び磁性挟持体から構成される。結合ベースは、互いに対向する第１の結合板及び第２の結合板を有する。磁性体は、第１の結合板と第２の結合板との間に挟設される。磁性挟持体は、第１の磁性板及び第２の磁性板を含み、磁性体の一方の側部に配置される。第１の磁性板の外側には、第１の結合板が接続される。第２の磁性板の外側には、第２の結合板が接続される。第１の磁性板及び第２の磁性板の内側は、互いに磁着させることができる。
【考案の効果】
【０００９】
本考案は、以下（１）〜（５）に示す効果を実現することができる。
（１）磁性挟持体の第１の磁性板と第２の磁性板とを開いたり、磁着させたりすることができるため、磁性挟持体により、磁石構造をページ又は書類に挿入して挟持することができる。また、磁性体は、磁性挟持体の上方に配置されるため、ページ又は書類から突出する。これにより、ユーザは、磁石構造の挿入位置を簡単に探し出すことができる。
（２）磁石構造は、図案層をさらに有する。第１の結合板の第１の磁性板と反対側の表面には、第１の表面が形成される。第２の結合板の第２の磁性板と反対側の表面には、第２の表面が形成される。図案層は、第１の表面又は第２の表面に接続することができる。これにより、磁石構造の美観性が向上し、ユーザの使用意欲を増進させることができる。
（３）磁石構造は、磁性体を利用することにより、含鉄材料の表面に磁着させることができる。また、磁性挟持体の第１の磁性板及び第２の磁性板により、磁石構造を付箋又は書類に挟持し、注意を促すことができる。
（４）磁石構造は、磁石部材をさらに有する。磁石部材は、第１の表面又は第２の表面上に磁着させることができる。これにより、磁石構造の外観の多様性を高め、磁石構造の装飾機能及び展示機能を高めることができる。
（５）磁性体は、底辺を有する。第１の磁性板及び第２の磁性板が底辺に当接されることにより、第１の磁性板及び第２の磁性板を底辺に対して開くと、挟角を形成することができる。挟角を所定の角度より大きくすると、第１の磁性板及び第２の磁性板により、磁性体を直立させることができる。即ち、磁石構造を立体形状にして搭載体上に直立させることができるため、本考案の磁石構造は、立体玩具のような展示機能を有する。
【図面の簡単な説明】
【００１０】
【図１】本考案の第１実施形態による磁性挟持体を有する磁石構造を示す分解斜視図である。
【図２】本考案の第１実施形態による磁性挟持体を有する磁石構造を示す斜視図である。
【図３】本考案の第１実施形態による磁性挟持体を有する磁石構造の第１の磁性板と第２の磁性板とを開いた状態を示す側面図である。
【図４】本考案の第１実施形態による磁性挟持体を有する磁石構造の第１の磁性板と第２の磁性板とを閉じた状態を示す側面図である。
【図５】本考案の第２実施形態による磁性挟持体を有する磁石構造を示す側面図である。
【図６】本考案の第３実施形態による磁性挟持体を有する磁石構造を示す分解斜視図である。
【図７】本考案の第１実施形態による磁性挟持体を有する磁石構造を使用する状態を示す斜視図である。
【図８】本考案の第１実施形態による磁性挟持体を有する磁石構造を使用する状態を示す斜視図である。
【図９】本考案の第４実施形態による磁性挟持体を有する磁石構造を示す斜視図である。
【図１０】本考案の第５実施形態による磁性挟持体を有する磁石構造を示す斜視図である。
【考案を実施するための形態】
【００１１】
本考案の目的、詳細な説明及び技術内容を図面に沿って詳細に説明する。図面は、説明に用いるものであり、本考案を限定するものではない。
【００１２】
（第１実施形態）
図１〜図４を参照する。図１〜図４に示すように、本考案は、磁性挟持体を有する磁石構造を提供するものである。本考案の第１実施形態による磁性挟持体を有する磁石構造１０は、結合ベース１、磁性体２及び磁性挟持体３から構成される。
【００１３】
結合ベース１は、互いに対向する第１の結合板１１及び第２の結合板１２を含む。第１の結合板１１及び第２の結合板１２は、分離する紙片又はプラスチック板である（これらのみに限定されない）。
【００１４】
磁性体２は、第１の結合板１１と第２の結合板１２との間に挟設される。磁性体２と第１の結合板１１及び第２の結合板１２とは、接着などの方式によって貼り合わされる。磁性体２は、底辺２１を有する。磁性体２は、硬質磁石４である（これのみに限定されない）。
【００１５】
磁性挟持体３は、第１の磁性板３１及び第２の磁性板３２を含み、磁性体２の一方の側部に配置される。第１の磁性板３１の外側には、第１の結合板１１が接続される。第２の磁性板３２の外側には、第２の結合板１２が接続される。第１の磁性板３１及び第２の磁性板３２の内側は、互いに磁着させることができる。
さらに詳細に説明すると、図３に示すように、第１の磁性板３１及び第２の磁性板３２は、底辺２１にそれぞれ当接されることにより、底辺２１を頂点とする挟角θを形成して展開することができる。また、第１の磁性板３１と第１の結合板１１、及び第２の磁性板３２と第２の結合板１２とは、それぞれ接着などの方式によって張り合わされる。
【００１６】
第１の結合板１１の第１の磁性板３１と反対側の表面には、第１の表面１１１が形成される。第２の結合板１２の第２の磁性板３２と反対側の表面には、第２の表面１２１が形成される。図４に示すように、磁性体２の厚さｄ１は、第１の磁性板３１と第２の磁性板３２とを重ねた厚さｄ２と等しくする。また、第１の磁性板３１及び第２の磁性板３２は、軟質磁石５である（これのみに限定されない）。
【００１７】
本考案の磁石構造１０は、図案層７をさらに含む。図案層７は、第１の表面１１１に形成されるが、第２の表面１２１に形成してもよい。
【００１８】
本考案の磁石構造１０を組み立てる際、対向する第１の結合板１１及び第２の結合板１２を含む結合ベース１が利用される。磁性体２は、第１の結合板１１と第２の結合板１２との間に挟設される。磁性挟持体３は、第１の磁性板３１及び第２の磁性板３２を含み、磁性体２の一方の側部に配置される。第１の磁性板３１の外側は、第１の結合板１１に接続される。第２の磁性板３２の外側は、第２の結合板１２に接続される。第１の磁性板３１及び第２の磁性板３２の内側は、互いに磁着させることができる。磁性挟持体３の上方に、磁性体２が配置されることにより、磁石構造１０の使用機能が向上し、しおり、クリップ、装飾品などの機能を提供することができる。これにより、磁石構造１０は、応用範囲が広い。
【００１９】
（第２実施形態）
図５を参照する。図５は、本考案の第２実施形態による磁性挟持体を有する磁石構造を示す側面図である。図５に示すように、磁性体２は、２つの軟質磁石５及び接着層６を有する。接着層６は、２つの軟質磁石５間に挟設される。２つの軟質磁石５には、外側表面に接着される方式により、第１の結合板１１及び第２の結合板１２が接続される。これにより、磁性体２は、第１の結合板１１と第２の結合板１２との間に挟設される。また、第１の結合板１１及び第２の結合板１２は、図１に示すような分離した紙片又はプラスチック板以外に、一体成形された紙片又はプラスチック板でもよい。この場合でも、上述の実施形態と同一の機能及び効果を実現することができる。
【００２０】
（第３実施形態）
図６を参照する。図６は、本考案の第３実施形態による磁石構造を示す分解斜視図である。図６に示すように、本実施形態による磁性体２は、搭載ブロック２２及び硬質磁石４を含む。搭載ブロック２２には、収容開口２２１が設けられる。硬質磁石４は、収容開口２２１に位置決めされる。搭載ブロック２２には、外側表面に接着される方式により、第１の結合板１１及び第２の結合板１２が接続される。これにより、磁性体２は、第１の結合板１１と第２の結合板１２との間に挟設される。これにより、上述の実施形態と同一の機能及び効果を実現することができる。
【００２１】
図７及び図８を参照する。図７及び図８は、本考案の第１実施形態による磁性挟持体を有する磁石構造を使用する状態を示す斜視図である。図７に示すように、磁性挟持体３の第１の磁性板３１と第２の磁性板３２とを開いたり、磁着させたりすることができるため、磁性挟持体３により、磁石構造１０をページ又は書類に挿入して挟持することができる。また、磁性体２は、磁性挟持体３の上方に配置されるため、ページ又は書類から突出する。これにより、ユーザは、磁石構造１０の挿入位置を簡単に探し出すことができる。
【００２２】
磁石構造１０は、図案層７をさらに含む。第１の結合板１１の第１の磁性板３１と反対側の表面には、第１の表面１１１が形成される。第２の結合板１２の第２の磁性板３２と反対側の表面には、第２の表面１２１が形成される。図案層７は、第１の表面１１１又は第２の表面１２１に接続することができる。これにより、磁石構造１０の美観性が向上し、ユーザの使用意欲を増進させることができる。
【００２３】
図８に示すように、磁石構造１０は、磁性体２を利用することにより、含鉄材料からなる物品（冷蔵庫の筐体など）の表面に磁着させることができる。また、磁性挟持体３の第１の磁性板３１及び第２の磁性板３２により、磁石構造１０を付箋又は書類に挟持し、注意を促すことができる。
【００２４】
（第４実施形態）
図９は、本考案の第４実施形態による磁性挟持体を有する磁石構造を示す斜視図である。図９に示すように、本考案の第４実施形態による磁性挟持体を有する磁石構造１０は、磁石部材８をさらに具える。磁石部材８は、ベース層８１、図案層８２及び磁石層８３を有する。図案層８２及び磁石層８３は、ベース層８１の両表面に形成される。磁石層８３により、磁性挟持体の第１の表面１１１又は第２の表面１２１上に磁石部材８を磁着させることができる。ベース層８１は、紙片、プラスチック板などの材料からなり、磁石層８３は、軟質磁石からなる（これらのみに限定されない）。これらの構造により、磁性挟持体の第１の表面１１１又は第２の表面１１２上に磁石部材８を磁着させ、磁石構造１０の外観の多様性を高め、磁石構造１０の装飾機能及び展示機能を高めることができる。
【００２５】
（第５実施形態）
磁性体２は、底辺２１を有する。第１の磁性板３１及び第２の磁性板３２が底辺２１に当接されることにより、第１の磁性板３１及び第２の磁性板３２を底辺２１に対して開くと、挟角θを形成することができる。挟角θを所定の角度より大きくすると、第１の磁性板３１及び第２の磁性板３２により、磁性体２を直立させることができる。図１０を参照する。図１０は、本考案の第５実施形態による磁性挟持体を有する磁石構造を示す斜視図である。図１０に示すように、磁石構造１０を立体形状にして他の基体上（卓上など）に直立させることができるため、本考案の磁石構造１０は、立体玩具のような展示機能を有する。
【００２６】
上述したことから分かるように、本考案の磁性挟持体を有する磁石構造は、所望の目的を実現し、従来の欠点を解決することができる。また、産業上の利用性、新規性及び進歩性を有する。
【符号の説明】
【００２７】
１０  磁石構造
１  結合ベース
１１  第１の結合板
１１１  第１の表面
１２  第２の結合板
１２１  第２の表面
２  磁性体
２１  底辺
２２  搭載ブロック
２２１  収容開口
３  磁性挟持体
３１  第１の磁性板
３２  第２の磁性板
４  硬質磁石
５  軟質磁石
６  接着層
７  図案層
８  磁石部材
８１  ベース層
８２  図案層
８３  磁石層
θ  挟角
ｄ１  厚さ
ｄ２  厚さ
【図１】
0003180760.tif 000003
【図２】
0003180760.tif 000004
【図３】
0003180760.tif 000005
【図４】
0003180760.tif 000006
【図５】
0003180760.tif 000007
【図６】
0003180760.tif 000008
【図７】
0003180760.tif 000009
【図８】
0003180760.tif 000010
【図９】
0003180760.tif 000011
【図１０】
0003180760.tif 000012